【事件の表示】
　特願２００３−　３０３８３「画像再生装置、画像再生方法、コンピュータプログラム、及びコンピュータ読み取り可能な記録媒体」拒絶査定不服審判事件〔平成１６年　８月２６日出願公開、特開２００４−２４２１３３〕について、次のとおり審決する。
【結　論】
　本件審判の請求は、成り立たない。
【理　由】
【第１】経緯（手続・査定）
　
［１］手続の概要
　本願は、平成１５年２月７日の出願であって、手続の概要は以下のとおりである。
　
　拒絶理由通知　　　　　　　：平成１７年　４月２６日（起案日）
　手続補正（明細書の補正）　：平成１７年　７月　６日
　拒絶査定　　　　　　　　　：平成１７年　７月２９日（起案日）
　拒絶査定不服審判請求　　　：平成１７年　９月　１日
　　
［２］査定
　 原審での査定の理由は、概略、以下のとおりである。
　
　［査定の理由］
　本願の各請求項に係る発明は、下記に掲げる刊行物に記載された発明に基づいて当業者が容易に発明をすることができたものであるから、特許法第２９条第２項の規定により、特許を受けることができない。 
 　 
　　　　　　記 
　引用文献１：特開平８−３６５８３号公報 
　引用文献２：特開平２−１２１０６０号公報 
　引用文献３：特開平６−２４３１７６号公報 
　引用文献４：特開平１１−１４６３２６号公報 
　引用文献５：特開平１１−１８０４４号公報
　引用文献６：特開平１１−４３６７号公報
　
【第２】本願発明 
 　 
　本願の請求項１から１１までに係る各発明は、本願明細書及び図面（平成１７年７月６日付けの手続補正書により補正された明細書及び図面）の記載からみて、その特許請求の範囲の請求項１から１１までに記載された事項によりそれぞれ特定される各発明であるところ、これら発明のうち、請求項１に係る発明（以下「本願発明」という。）は、下記のとおりのものである。
　
　　　　　　記（本願発明）
　「画像ファイルから画像を表示する表示手段と、
　複数の画像ファイルから該表示手段に表示された画像をコマ送りするための操作部材と、
　画像ファイルの画像を表示させる制御手段とを有する画像再生装置において、
　前記画像ファイルは、ファイル内に同一画像の解像度の異なる複数の画像を包含するファイル構造を有するものであり、
　前記制御手段は、前記操作部材がユーザによって所定時間継続して操作状態にされていることを検知したときには、前記画像ファイルのうち低解像の画像を連続して表示手段に順次コマ送り表示し、前記操作状態が解除されたことを検知したときには、所定枚数前にコマ送り表示された低解像の画像に対応する高解像の画像を、当該低解像の画像を再度表示することなく、表示手段に表示することを特徴とした画像再生装置。」
　
【第３】当審の判断
　
［１］引用刊行物の記載　 
 　 
　刊行物１：特開平１１−１４６３２６号公報（上記引用文献４）
　原査定の拒絶の理由に引用された特開平１１−１４６３２６号公報（以下、「刊行物１」という）には、「画像検索方法および画像検索装置」（発明の名称）に関し、図面と共に次に掲げる事項が記載されている。  
　
〈特許請求の範囲、請求項１，１２〉
(K1)「【請求項１】　メモリに複数の画像を記憶し、この複数の画像の中から所望の画像を検索する画像検索装置において、
　検索時には、前記複数の画像に対応する複数の簡易画像を再生して表示しながらページ送りをすることを特徴とする画像検索方法。」（請求項１）
(K2)「【請求項１２】メモリに画像データを記録し、前記メモリに記録された画像データを再生して表示する画像検索装置において、前記メモリから簡易画像を再生する簡易画像再生／表示手段と、ユーザーによる所望の画像指定状態を検出する手段とを有し、ユーザーによって所望の画像が指定された場合にその時表示されていた簡易画像に対応する原画像を再生して表示することを特徴とする画像検索装置。」（請求項１２）
　
〈発明の属する技術分野〉
(K3)「【０００１】
【発明の属する技術分野】本発明はデジタルカメラ等の画像検索装置の記録画像検索技術に関する。」
　
〈発明が解決しようとする課題〉
(K4)「【０００６】
【発明が解決しようとする課題】従来、デジタルカメラの撮像結果を印刷する場合に所望の画像を選択するために上述したようにパソコン側にサムネイル画像を取込んでモニターに配列表示して所望の画像を選んで対応の画像データをデジタルカメラ側から取り込む方法が用いられていたが、デジタルカメラ側から画像データを端末装置に出力（送信）するような場合には、デジタルカメラ側で画像を再生して所望の画像を抽出することが望ましい。
【０００７】そこで、デジタルカメラ側で画像選択する方法として、所望の画像が見つかるまで画像データを順次再生表示する方法がある。
【０００８】しかしながら、画像データはＪＰＥＧ圧縮されて記録媒体に格納されているので画像を再生して表示するには記録媒体に格納されている画像データに伸張処理を施す必要がある。伸張処理をハードウエア回路で行なえば圧縮データの伸張時間は短いが、大衆普及型のデジタルカメラではコストを下げるために伸張手段をプログラムで構成しているので、ＪＰＥＧ圧縮された１フレーム分の画像（６４０×４８０ピクセル）を伸張処理するには２秒程度かかるため、ユーザにとっては画像表示時間が長く感ぜられるという問題点と共に、所望の画像が後の方に格納されていた場合にはその画像を選択するまでに長い時間を要するという不具合があった。
【０００９】この不具合は、近年デジタルカメラの画素密度がＶＱＡ（６４０×４８０ピクセル）からＸＱＡ（１０２４×７６８ピクセル）へと高密度の方向に傾斜しており、更に高い画素密度のデジタルカメラも出現しつつあることから、解決が必要な問題点となっている。
【００１０】また、デジタルカメラ側で画像選択する他の方法として、格納した画像の画像番号が出現するまでコマの早送り（或いは早戻し）をし、所望の画像番号が見つかった時点で送りを止めて画像を再生して表示する方法がある。
【００１１】この方法では迅速に所望の画像位置を得て再生できるという利点があるが、早送りの速度が画像再生の速度（すなわち伸張時間）より早いため、早送り中に個々の再生画像を表示できず早送り中は画面は画像番号以外は表示されない黒画面となるので、ユーザが個々の画像の内容と画像番号を記憶しているかメモを取っておく必要があり、記録媒体に記録可能な画像の個数が少ない場合はともかく記録媒体に記録可能な画像の個数が多くなればなるほど実用性に乏しくなるという問題点があった。
【００１２】本発明は、上記不都合や問題点を鑑みてなされたものであり、早送り中にサムネイル等の簡易画像を再生して表示し所望の画像を得る、デジタルカメラ等の画像検索装置の記録画像検索方法および装置の提供を目的とする。」
　
〈発明の実施の形態〉
(K5)「【００２７】
【発明の実施の形態】図１は本発明の画像検索方法を適用したデジタルカメラの一実施例の斜視図（背面図）である。デジタルカメラ１００の上面には、処理モードを切換える処理モード切換えスイッチ（スライドスイッチ）３１と、機能選択用ボタン３２〜３６と、デジタルカメラ１００を起動するメインスイッチ１０１、シャッターボタン１０２および出力用ボタン１０３が設けられている。背部には、記録モードと再生モードを切換える記録／再生モード切換えスイッチ１０４と、光学ファインダー１０５と、画像表示用の液晶ディスプレイ４３が設けられている。また、図示しない前面（正面）には、撮像レンズ部およびファインダー部が設けられている。
【００２８】図２は図１のデジタルカメラ１００の回路構成例を示すブロック図であり、図２（ａ）で、デジタルカメラ１００は、画像データ入力系１０、制御部２０、操作部３０、表示部４０、記録部５０およびインターフェイス８１を有している。
【００２９】画像データ入力系１０は、光学系１１，信号変換部１２，信号処理部１３，ＤＲＡＭ（ダイナミックメモリ）１４を有している。
【００３０】光学系１１は、撮像レンズおよび絞り等の光学系機構１１を含み、被写体からの光を後段の信号変換部１２のＣＣＤ上に結像させる。信号変換部１２は、ＣＣＤ，Ａ／Ｄ変換部およびＣＣＤ駆動信号生成回路を含み、前段の光学系１１を介してＣＣＤに結像した画像を電気信号に変換すると共にデジタルデータ（以下、画像データ）に変換してＤＲＡＭ１４に一時的に記憶させる。
【００３１】信号処理部１３は、ＤＲＡＭ１４に格納された画像データを間引いて簡易画像データ（例えば、サムネイル画像等の縮小画像）を生成してフラッシュメモリ５１に記録する。また、信号処理部１３はＤＲＡＭ１４に記憶した画像データに圧縮処理を施して圧縮画像データとしてフラッシュメモリ５１に記録する。
【００３２】また、信号処理部１３は、フラッシュメモリ５１から読み出した画像データに伸張処理を施した後、映像信号に変換してＶＲＡＭ（ビデオＲＡＭ）４１に展開する（図３）。」
(K6)「【００３５】制御部２０は図２（ｂ）に示すように、ＣＰＵ２１、ＲＡＭ２２、及びＲＯＭ２３を有している。ＣＰＵ２１は、上述の各回路および図示しない電源切換えスイッチ等にバスラインを介して接続し、ＲＯＭ２３に格納されている制御プログラムにより画像処理装置１００全体の制御を行なうと共に、操作部３０からの状態信号に対応してデジタルカメラの各機能の実行制御、例えば、ＲＯＭ２３内に格納された高速ページ送り手段１１０（図５）の実行による高速ページ送りモード処理の実行制御、を行なう。ＲＡＭ２２はデータ或いは処理結果の一時記憶および中間作業領域等に用いられる。ＲＯＭ２３は上述の制御プログラムと高速ページ送り手段１１０および画像処理装置のその他の各機能を実行させるためのプログラムを記録する記録媒体であり、ＰＲＯＭ、ＦＲＯＭ（フラッシュＲＯＭ）等が用いられる。なお、これらプログラムをＲＯＭ２３以外のリムーバブルな記録媒体（例えば、フラッシュメモリ５１）に格納するように構成することもできる。
【００３６】操作部３０は、図１に示した処理モード切換えスイッチ３１、機能選択用ボタン３２〜３６、メインスイッチ１０１、シャッターボタン１０２、出力用ボタン１０３および記録／再生モード切換えスイッチ１０４を構成部分とし、これらのキー或いはボタンが操作されると状態信号がＣＰＵ２１に送出される。
【００３７】表示部４０は、ＶＲＡＭ４１，ＶＲＡＭ４２，および液晶ディスプレイ４３から構成されている。なお、ＶＲＡＭ４１およびＶＲＡＭ４２は画像表示用のイメージ（画像イメージ）をビットマップで展開する画像表示用メモリであり、液晶ディスプレイ（ＬＣＤ）４３の電源がオン（ＯＮ）であれば、ＶＲＡＭ４１およびＶＲＡＭ４２上の画像データが液晶ディスプレイ４３に画像表示される。なお、ＶＲＡＭ４２には画像データのほか、制御部２０を介して画像番号、メニューデータおよびメッセージデータ等がイメージ展開され、これらを液晶ディスプレイ４３に表示する場合がある。さらに、ＶＲＡＭ４１上の画像イメージとＶＲＡＭ４２上のイメージを液晶ディスプレイ４３に合成（重畳）して表示できる。
【００３８】記録部５０は記録媒体（図２ではフラッシュメモリ）５１を収容し、ＣＰＵ２１の制御によりフラッシュメモリ５１上に画像データ入力系１０からの画像データおよび簡易画像データを記録すると共に、当該画像データと簡易画像データを関連づける情報を有するリンクテーブル（図６、図７）をフラッシュメモリ５１に記録する。また、フラッシュメモリ５１から画像データおよびリンクテーブルを読み出してＲＡＭ２２（或いは、ＤＲＡＭ１４）に転送する。なお、記録部５０によるデータの転送はＤＭＡ（ダイレクトメモリアクセス方式）によって行なわれるよう構成することが望ましい。また、リンクテーブルはフラッシュメモリ５１の先頭に格納されることが望ましい。・・・（以下略）」
(K7)「【００４０】図３は図２の信号処理部１３の構成例を示すブロック図であり、信号処理部１３はＤＲＡＭ１４上のＲ，Ｇ，Ｂラスタデータ（画像データ）から簡易画像を生成してフラッシュメモリに記録する簡易画像処理部１３１と、Ｒ，Ｇ，ＢラスタデータをＪＰＥＧ圧縮してフラッシュメモリ５１に記録するデータ圧縮部１３２と、フラッシュメモリ５１から読み出した圧縮画像データを伸張するデータ伸張部１４３と、伸張されたＲ，Ｇ，Ｂラスタデータ（画像データ）を輝度成分Ｙおよび色差成分Ｕ，Ｖに変換する映像信号変換部１３１を有している。なお、実施例では簡易画像としてサムネイル画像を用いており、サムネイル画像は５２×３６ピクセルとサイズが小さいので実施例では信号処理部１３でサムネイル画データのデータ圧縮／伸張を行なっていないが、サムネイル画像データ（および簡易画像データ）のデータ圧縮／伸張を行なうようにしてもよい。
【００４１】＜処理モード＞図４はデジタルカメラ１００の処理モードの構成例を示す説明図であり、デジタルカメラ１００の処理モードは撮像、再生、記録および外部機器への出力（送信）モードからなる通常処理モードと、日付変更等の特殊機能を実行する特殊処理モードを有する。また、再生モードは画像選択を行なうための高速ページ送りモードを含んでいる。なお、再生モードでの画像の再生／表示は画像再生／表示手段（図示せず）で行ない、画像再生／表示手段は画像データをフラッシュメモリ５１から読み出して映像信号変換部１３４を介してＶＲＡＭ４１に送って液晶ディスプレイ４３に表示する（図３）。」
(K8)「【００４２】＜高速ページ送り手段＞　高速ページ送り手段の機能および構成
　高速ページ送り手段１１０は図５に示すように、再生モードで液晶ディスプレイ４３に簡易画像を表示しながら高速でページ送りし、ページ送りを停止したコマの画像（そのコマに表示されていた簡易画像に対応する画像（以下、原画像と記す）を液晶ディスプレイ４３に再生表示する。
【００４３】高速ページ送り手段１１０は、高速送り指示判定手段１１１と、簡易画像再生／表示手段１１２と、高速送り指示終了判定手段１１３を有している。高速送り指示判定手段１１１は検索手段としてユーザが操作する操作部３０のサーチ用機能ボタン（実施例ではサーチボタン（＋）→機能ボタン３２、サーチボタン（−）→機能ボタン３３）の操作時間（実施例では、押し下げ時間）の長さからユーザの指示が「高速ページ送り」指示か「画像再生／表示」指示かを判定する（実施例１，２）。・・・（以下略）」
　
〈実施例〉
(K9)「【００４９】＜実施例１＞
［リンクテーブル］図６は、簡易画像データと原画像データとの関係を示す説明図であり、フラッシュメモリ５１には記録された原画像データの格納位置情報等を登録するリンクテーブル５１１（図７或いは図８）と、簡易画像データ５１２−１，５１２−２，５１２−３，・・・，５１２−ｎと、原画像データ５１３−１，５１３−２，５１３−３，・・・，５１３−ｎが記録されている。なお、実施例ではリンクテーブル５１１はフラッシュメモリ５１の先頭位置に格納され、簡易データは画像データの前に記録されるが、論理的には簡易データと画像データの位置がポインタによって結合（リンク）されていればよい。すなわち、ある簡易画像が表示されている場合、高速送り指示が終了した場合その簡易画像に代って対応する原画像が再生／表示されるようにリンクテーブルによってリンクされていればよい。
【００５０】図７はリンクテーブルの構成例を示す図であり、リンクテーブル５１１はフラッシュメモリ５１に記録される画像データ（簡易画像データおよび原画像データ）の物理的順序を示す物理番号５１１１、表示される画像の順序を示す論理番号５１１２、簡易画像の格納番地５１１３および原画像の格納番地５１１４（先頭番地：図６では説明上原画像については１００刻みに、簡易画像については５刻みとして示している）、原画像のサイズ５１１５、次に表示される画像の物理番号である次画像番号５１１６および前の画像を表示する場合に用いる前画像番号５１１７からなる画像毎のレコードから構成され、これらは画像の記録時に信号処理部１３によって登録される。
【００５１】図７で、画像番号５１１１が’１’の画像データは簡易画像データであり、対応する原画像データの画像番号は’２’であるがこのリンクテーブル５１１では簡易画像データと原画像データを１対１でリンクしているのでテーブルレコード上では画像番号は１つ置きに示されている。また、画像番号５１１１が’５’の画像データの論理番号５１１２が’６’になっているのは、この領域の画像データ（簡易画像データおよび原画像データ）が少なくとも１度削除され、新たな画像データが書込まれたことを示す。」
(K10)「【００５６】スイッチ３１を「通常処理」側にスライドさせ、記録／再生スイッチ１０４を再生側にスライドさせると再生／表示モードとなる。再生表示モードで機能選択ボタン（サーチボタン（＋））３２を押すと、フラッシュメモリ５１に記録されている１フレーム分の画像データが再生されて液晶ディスプレイ４３に表示される。なお、再生／表示の際、画像再生／表示手段（図示せず）は図７或いは図８に示したようなリンクテーブル５１１（或いは５１１’）を参照して画像を再生する。次に、サーチボタン（＋）３２を一定時間以上（本実施例では３秒）押し続けると高速ページ送りモードとなり、制御部２０は高速ページ送り手段１１０の実行に制御を移す。なお、サーチボタン（＋）３２を一旦開放したあとで再度押すと次の画像が再生／表示され、サーチボタン（−）３３を押すと前の画像が表示される。なお、高速ページ送りモードへの切換え時間を実施例では３秒としたがこれに限定されず、２秒としてもよく４秒以上としてもよい。
【００５７】［高速ページ送りモード下の動作］図９は高速ページ送りモード下のデジタルカメラ１００の動作例を示すフローチャートであり、図１０は高速ページ送りモード下の表示画像の例を示す説明図である。
【００５８】先ず、再生／表示モードに切換えると最初の再生画像（原画像）が液晶ディスプレイ４３上にフルサイズ表示され、高速ページ送り手段１１０が起動される。図１０（ａ）は再生モードで液晶ディスプレイ４３上に表示された原画像の例であり、原画像９１−１と画像番号９２（この例では６５コマ中の３０コマ目の原画像である）が表示されている（Ｓ１）。
【００５９】ユーザがサーチボタン（＋）３２を押すと次の画像が再生／表示される。ここで制御部２０は高速送り指示判定手段１１１によりサーチボタン（＋）の状態を調べる。サーチボタン（＋）３２が３秒以上押し続けられているとＳ４（高速ページ送りモード）に移行する（Ｓ２）。
【００６０】上記ステップＳ２で、サーチボタン（＋）３２を何回も押す（押し下げ時間３秒未満）とその度に再生モードに移行して、リンクテーブル５１１を参照して論理番号欄５１１２に記録された順序で、登録された原画像格納番地を基にフラッシュメモリ５１から原画像データを読み出して原画像の再生およびフルサイズ表示を繰返す。図１０（ｂ）はサーチボタン（＋）３２を時間３秒未満押し下げた場合に再生／表示された次の原画像９１−２の例であり、画像番号９２として’３１’（この例では６５コマ中の３１コマ目の原画像である）が表示されている（Ｓ３）。
【００６１】上記Ｓ２でサーチボタン（＋）３２が３秒以上押されると高速ページ送りモードとなり、サムネイル画像再生／表示手段１１２が起動され、表示された原画像の次の画像に対応するサムネイル画像データがフラッシュメモリ５１から読み出され、再生されて２コマ／秒の速度で次々と表示される（Ｓ４）。図１０（ｃ）は高速ページ送りモードで早送り中に液晶ディスプレイ４３上に表示されるサムネイル画像の例であり、２コマ／秒の割合でサムネイル画像９３−３，９３−４，・・９３−ｍが画面に対して１個ずつ順次表示され、また、サムネイル画像に対応の原画像のサイズデータ９４が表示される。なお、このほか撮影日時等の日付データも表示するようにしてもよい。 原画表示のときには日付データ等の文字データが表示されると邪魔になるが、サムネイル表示の場合には表示を小さくすれば余白ができるので余白部分を有効に利用できる。この間、高速送り指示終了判定手段１１３がサーチボタン（＋）３２の状態を監視する。上記Ｓ４で、ユーザがサーチボタン（＋）３２から指を離すとサーチボタン（＋）３２が解放（リリース）され、高速送り指示終了判定手段１１３により高速ページ送りモード終了と判定されて、再生モードに移行しリンクテーブル５１１の原画像格納番地５１１４を参照して、その時点で表示されていたサムネイル画像に対応する原画像データをフラッシュメモリー５１から読み出して再生し、表示する（Ｓ５）。
【００６２】図１０（ｄ）はユーザが高速ページ送りを停止したことにより再生モードに自動的に切換えて、その時点に表示されていたサムネイル画像９３−７に対応する原画像９２−７を再生／表示した例である。」
(K11)「【００６３】なお、上記Ｓ４で送ったサムネイル画像が’送り過ぎ’の場合にはサーチボタン（−）３３を３秒以上押すと早戻しとなり、３秒未満の場合には再生モードで１つ前の原画像が再生／表示される。また、上記各ステップにおける原画像およびサムネイル画像の再生／表示の際には図７或いは図８に示したようなリンクテーブルの情報が参照される。」
　
［２」対比（対応関係） 
　本願発明と刊行物１に記載された発明（以下「引用発明」という。）とを対比すると、以下の対応が認められる。
　
　（ａ）画像ファイルについて（画像データの形態）
　本願発明の「画像ファイルは、ファイル内に同一画像の解像度の異なる複数の画像を包含するファイル構造を有するものであり、」は、明細書の記載（特に段落0051〜0052，図３）によれば、同一画像で解像度の異なる画像である、高解像度の画像データと低解像度の画像データ（サムネイル画像）をセットにして１つの画像ファイルとして記録したものをいい、
　本願発明の「複数の画像ファイル」は、異なる画像は別の画像ファイルであることを前提にいうものである。
　引用発明では、これに対応するものとして、前掲(K9)によれば、記録媒体（フラッシュメモリ５１）に、「リンクテーブル５１１，簡易画像データ５１２−１，原画像データ５１３−１，簡易画像データ５１２−２，原画像データ５１３−２，・・・簡易画像データ５１２−ｎ，原画像データ５１３−ｎの順に、これら画像データを記録格納したもの」（図６）があり、ここに、各簡易画像データ５１２−ｊと各原画像データ５１３−ｊとは、この順で連続しリンクテーブル５１１で対応づけられており、同一の画像の低解像度の画像データと高解像度の画像データである（(K5)，段落0031）。
　この「リンクテーブル５１１，簡易画像データ５１２−１・・・原画像データ５１３−ｎの順に、これら画像データを記録格納したもの」も、本願発明の上記「画像ファイル」も、「画像データのセット」といい得るものであり、かつ、共に、そのセット「内に同一画像の解像度の異なる複数の画像を包含する」点では一致するものの、その形態と個数において、以下の相違が認められる。
　すなわち、本願発明では、「
画像データのセット
画像ファイル
ファイル構造
複数の
　引用発明では、「
画像データのセット
１つ
　
　（ｂ）「画像ファイルから・・・画像再生装置において、」（前提構成）
　（ｂ１）「画像ファイルから画像を表示する表示手段」、「画像ファイルの画像を表示させる制御手段」
　引用発明では、記録媒体（フラッシュメモリ５１）に記憶された画像データを再生して表示手段（液晶ディスプレイ４３）に表示する（(K1)〜(K11)、特に(K2)(K5)(K6)）。したがって、上記「画像データのセット」から画像を表示する表示手段を有しているといえ、また、「画像データのセット」の画像を表示させる制御手段の存在も明らかである。
　もっとも、本願発明では、「画像データのセット」を「
画像ファイル
　（ｂ２）「複数の画像ファイルから該表示手段に表示された画像をコマ送りするための操作部材」
　前掲(K8)(K10)、特に段落0058〜0060によれば、引用発明では、再生モードで表示手段（液晶ディスプレイ４３上）に原画像が表示されているとき、ユーザがサーチボタン（＋）３２を押す（押し下げ時間３秒未満）と、次の画像が再生／表示される。サーチボタン（＋）３２を何回も押す（押し下げ時間３秒未満）とその度に再生モードに移行して、リンクテーブル５１１を参照して論理番号欄５１１２に記録された順序で、登録された原画像格納番地を基にフラッシュメモリ５１から原画像データを読み出して原画像の再生およびフルサイズ表示を繰返す。
　したがって、この「サーチボタン（＋）３２」は、上記「画像データのセット」から「表示手段に表示された画像をコマ送りするための操作部材」といい得るものである。
　もっとも、本願発明では「
複数の画像ファイル
　（ｂ３）「画像再生装置」
　引用発明も、画像再生装置といい得ることは明らかである。
　（ｂ４）まとめ（前提構成）
　以上によれば、本願発明と引用発明は、
　「
画像データのセット
　
画像データのセット
　
画像データのセット
　表示手段の「
画像データのセット
画像データのセット
画像データのセット
画像ファイル
複数の画像ファイル
画像ファイル
　
　（ｃ）制御手段の表示動作
　前掲(K8)(K10)、特に段落0059〜0062によれば、
　引用発明は、ステップＳ２でサーチボタンが３秒以上押されると高速ページ送りモードとなり、サムネイル画像再生／表示手段１１２が起動され、表示された原画像の次の画像に対応するサムネイル画像データがフラッシュメモリ５１から読み出され、再生されて２コマ／秒の速度で次々と表示され（ステップＳ４）、
　ステップＳ４で、ユーザがサーチボタン（＋）３２から指を離すとサーチボタン（＋）３２が解放（リリース）され、高速送り指示終了判定手段１１３により高速ページ送りモード終了と判定されて、再生モードに移行し、その時点で表示されていたサムネイル画像（図１０の９３-７）に対応する原画像（図１０の９２-７）データをフラッシュメモリー５１から読み出して再生し、表示する（ステップＳ５）。
　〈ステップＳ４の表示動作〉
　上記ステップＳ４の表示動作は、本願発明の「操作部材がユーザによって所定時間継続して操作状態にされていることを検知したときには、」「低解像の画像を連続して表示手段に順次コマ送り表示し」に一致する。
  もっとも、「低解像の画像」が、引用発明は「前記
画像データのセット
画像ファイル
　〈ステップＳ５の表示動作〉
　引用発明の「サーチボタン（＋）３２が解放（リリース）され、高速ページ送りモード終了と判定され」は、本願発明でいう「操作状態が解除されたことを検知し」に相当し、
　その判定（検知）したとき再生モードに移行しての表示動作である「その時点で表示されていたサムネイル画像（図１０の９３-７）に対応する原画像（図１０の９２-７）データをフラッシュメモリー５１から読み出して再生し、表示する」は、
再度
検知したとき
再度
　もっとも、引用発明は、「
所定枚数前にコマ送り表示された
検知したとき表示されていた
　
［３」一致点、相違点
　以上の対比結果によれば、本願発明と引用発明との一致点と相違点は、次のとおりであることが認められる。
　
【一致点】
　
画像データのセット
　
画像データのセット
　
画像データのセット
　前記
画像データのセット
画像データのセット
　前記制御手段は、前記操作部材がユーザによって所定時間継続して操作状態にされていることを検知したときには、前記
画像データのセット
　
【相違点】
［相違点１］
　本願発明では、前記
画像データのセット
画像ファイル
ファイル構造を有する
　引用発明では、前記
画像データのセット
　
　および、
　表示手段の「
画像データのセット
画像データのセット
画像データのセット
　本願発明では、「
画像ファイル
複数の画像ファイル
画像ファイル
　制御手段により、前記操作部材がユーザによって所定時間継続して操作状態にされていることを検知したときに、表示手段に順次コマ送り表示する低解像の画像が、
　本願発明では、「前記
画像ファイル
画像データのセット
　
［相違点２］
　本願発明の制御手段は、前記操作状態が解除されたことを検知したときには、「
所定枚数前にコマ送り表示された
　引用発明の制御手段は、前記操作状態が解除されたことを検知したときには、「
検知したとき表示されていた
　つまり、
　操作状態が解除されたことを検知したときに、低解像の画像に対応する高解像の画像を、当該低解像の画像を再度表示することなく、表示手段に表示する際の「低解像の画像に対応する高解像の画像」が、
　本願発明では、「
所定枚数前にコマ送り表示された
　引用発明では、「
検知したとき表示されていた
　　
［４」相違点の判断等
　
（４.１）相違点１について
　〈周知技術〉　
　一般に、画像再生装置において、画像データのセットを、その内部に同一画像の解像度の異なる複数の画像を包含するファイル構造を有する画像ファイルとし、異なる画像は別の画像ファイルとした複数の画像ファイルを用いることは、周知技術である｛例えば、下記周知例１〜３参照｝。
　〈判断〉
　引用発明の「
画像データのセット
　そして、このように同周知技術を採用するとき、これに伴い、上記［相違点１ｂ］に係る本願発明の構成となることは自然かつ普通である。
　したがって、上記相違点１に係る本願発明の構成は、引用発明の「
画像データのセット
　
（４.２）相違点２について
　〈周知事項〉　
　画像検索装置において、複数の画像データを順次高速かつ連続的に出力して画像（ページ）を表示させるページめくり検索をするとき、所望のページを確認したオペレータがページめくり検索を停止するコマンドを指示しても、所望のページを過ぎて所望のページでないページが表示される場合があるという課題認識に基づき、同課題を解決するため、オペレータがページめくり検索の「停止」を指示した場合、現在表示しているページを再度表示せず、現在表示しているページから所定枚数戻った手前のページを自動的に表示するようにすることは周知の技術思想である。
　これには、例えば、下記周知例４，５が参照される。
　〈判断〉
　上記周知事項に照らせば、引用発明においても、ユーザが目的の画像に対応するサムネイル画像が表示されたと思ったときにサーチボタン（＋）３２を解放（操作状態を解除）したとしても、現実には解放するタイミングが遅れてしまい“送り過ぎ”となってしまう不都合が生じ易いことは当業者に容易に予測されることであり、したがって、そのような不都合を解消するため、引用発明に上記周知の技術思想を適用することは当業者が何ら困難なく想起し得ることである。
　そして、上記周知の技術思想にしたがって、引用発明において、「前記操作状態が解除されたことを検知したときには、」所定枚数戻って画像を表示する構成とするとき、
　サーチボタンの解放（操作状態の解除）は、高速ページ送りでサムネイル画像が次々と連続表示されるときにユーザーが見たいと欲してその停止を決断してなされるものであるところ、ユーザーが見たいと欲する目的物は、停止を決断したときのサムネイル画像（所定枚数戻った画像）に対応する高解像度画像なのであってサムネイル画像ではないのであるから、直接その高解像度画像を表示することはごく自然であって、所定枚数戻ってサムネイル画像を再度表示することはしない構成とすることは当業者が容易になし得ることである。
　また、このことは、引用発明においても、サーチボタンが解放されれば、サムネイル表示のサーチを終了して再生モードに移行し、即ユーザーが見たい目的画像である高解像度画像を表示するものであって、そこには、サーチボタンが解放されたとき（操作状態の解除を検知したとき）、サムネイル画像を一旦表示するという技術思想はなく｛前記［２］（ｃ）｝、また、サムネイル画像はあくまでサーチ時の画像表示用（高解像度画像では時間がかかるから）に導入された画像であることからみても、首肯されるところである。
　〈まとめ〉
　以上によれば、引用発明の、
　前記操作状態が解除されたことを検知したときには、「
検知したとき表示されていた
　前記操作状態が解除されたことを検知したときには、同高解像の画像（９２-７）から所定枚数戻った手前の高解像度画像（例えば、１つ手前のサムネイル画像９３-６に対応する高解像度画像９２-６）、つまり、「
所定枚数前にコマ送り表示された
　構成とすることは、上記周知の技術思想を適用することにより、当業者が容易になし得ることである。
　〈請求人の主張について〉
　この相違点につき、請求人は、引用文献４（刊行物１）乃至６に記載の以上の技術的思想と、引用文献１（周知例４）乃至３に記載の所定のコマ数前の画像を表示するという技術思想の組み合わせによって得られる構成は、あくまでも、高速コマ送りにおいて停止の指示がなされたときには、所定のコマ数さかのぼって、先ずサムネイル画像を表示し、その後にこのサムネイル画像に対応する本画像を表示するというものにしかならない。 
　たとえ引用文献を組み合わせたとしても、本願発明の特徴である、所定のコマ数さかのぼって表示する最後の本画像（高解像の画像）の表示において、対応するサムネイル画像（低解像の画像）の表示をスキップするという技術的思想までは、何ら示唆されるものではない、旨主張している。
　しかしながら、以下の理由で上記請求人の主張は採用できない。
　（理由）
　(a)引用発明における、操作状態の解除は、サーチ時の画像表示用に導入されたサムネイル表示のサーチを止めて目的画像である高解像度画像を表示することにあるから、上記周知事項の適用に際しても、解除されたときに表示する画像を、目的画像である高解像度画像とすることは自然かつ普通であることは前記のとおりである。
　(b)引用発明におけるサーチボタン解放はサーチ終了を意味し、再生モードに移行して高解像度画像を表示して止まるのであり、そこには、操作状態の解除を検知したとき、サムネイル画像を再度表示するという技術思想はないことも、前記のとおりである。
　(c)目的である同高解像度画像の表示前にサーチの為の画像であるサムネイル画像（低解像の画像）を一旦表示させることに、特段の意義・メリットがなく、かえって遅延を招くデメリットが生じることは当業者に自明である。
　(d)引用発明に上記周知事項を適用するに際して、先ずサムネイル画像を表示し、その後にこのサムネイル画像に対応する本画像を表示する構成も考え得るとしても、そのことが、サムネイル画像を表示せずに直接高解像度画像を表示する構成を排除するものでもない。
　引用発明において、サムネイル画像を表示するのは、「高速ページ送りモード」の場合に限定されており、再生モード時においても、また、前掲(K11)（段落0063）の’送り過ぎ’の場合にサーチボタン（−）３３を３秒未満押した場合にも、サムネイル画像を表示することなく高解像度画像（原画像）を表示している。　
　
（４.３）効果等　　
　以上のように、相違点１および相違点２に係る本願発明の構成は、いずれも当業者に想到容易でない格別のものであるとはいえず、また、各相違点に係る構成を総合した本願発明の構成が、全体としてみて格別であるともいえない。そして、その技術的効果も、上記刊行物１の記載および周知技術から当業者に予測し得る範囲内のものである。
　
（４.４）周知例（周知技術）
　
　(１)周知例１：特表２００２−５０７３４７号公報（本願明細書で従来技術として記載された米国特許第５９３３１３７号明細書の対応ファミリ）（２２〜２５頁、図６等参照）　
　
　(２)周知例２：特許第３０７２８５２号公報（本願明細書で従来技術として記載された米国特許第５１６４８３１号明細書の対応ファミリ）（第２Ａ図，請求項１，公報５頁左欄１２行〜１８行等参照）
　
　(３)周知例３：特開２００２−３４４８８４号公報（本願明細書で従来技術として記載された米国特許第５１６４８３１号明細書の対応ファミリ）（請求項１，図５等）
　
　(４)周知例４：特開平８−３６５８３号公報（原査定の拒絶理由通知で引用文献１として提示済み））
　(S4.1)「【０００１】
【産業上の利用分野】本発明は、画像検索装置に係り、より詳しくは、画像を検索する場合に、予め定められた少なくとも１画像からなる画像群が連続的に表示されるように表示手段の画面を切り換える画像検索装置に関する。
【０００２】
【従来の技術】近年、多量ページからなる文書などの各ページをスキャナによって読み取り、読み取られたページの画像データを、該文書に対応させた文書名、分類名、キーワードなどのインデックス（検索条件）と共に光ディスクに記憶する画像検索装置が提案されている。このような画像検索装置において光ディスクに記憶された画像データから所望の画像データを検索する際には通常、まず、前述したインデックスに基づいて、記憶された画像データを検索する。このように検索された場合、所望の画像データを含んだ複数の画像データからなる画像データ群（文書）が所望の画像データの候補として得られる。そして、得らた複数の画像データを順次高速かつ連続的にＣＲＴディスプレイ装置等に出力して画像（ページ）を表示する（以下、通常のページめくり検索という）。そして、所望のページを確認したオペレータは、通常のページめくり検索を停止するコマンドを指示して、通常のページめくり検索を停止し、該コマンドが指示されたときのページを表示する。
【０００３】
【発明が解決しようとする課題】しかし、前述した画像検索装置では、画像（ページ）を高速かつ連続的に表示しているため、オペレータが通常のページめくり検索の停止を指示しても所望のページを過ぎて所望のページでないページが表示される場合がある。
【０００４】このような点に鑑み、オペレータが通常のページめくり検索の「停止」を指示した場合、現在表示しているページの１つ手前のページを表示する画像検索装置が提案されている（特開平２−１２１０６０号公報）。
【０００５】ここで、所望のページを確認してから通常のページめくり検索の「停止」を指示するまでには個人毎に反応時間に違いがあることから、所望のページを確認してから「停止」を指示するまでの時間には個人差がある。従って、前述した画像検索装置では、個人毎の反応時間の違いを考慮していないことから、通常のページめくり検索の「停止」を指示して現在表示しているページの１つ手前のページを表示したとしても、所望のページを確実に表示させることができるとは限らない。
【０００６】また、この画像検索装置ではさらに、ページを連続して高速に表示する速度を可変し、通常のページめくり検索の「停止」を指示してから現在表示しているページから戻るべきページ数を、可変された速度に応じて決定することとも考慮しているが、この場合も、個人毎の反応時間の違いを考慮していないことから、所望のページを確実に表示させることができるとは限らない。」
　
　(５)周知例５：特開平２−１２１０６０号公報（原査定の拒絶理由通知で引用文献２として提示済み）
　(S5.1)「［発明の目的］
　（産業上の利用分野）
　この発明は、たとえば画像の登録、検索等を行う画像ファイリング装置などの画像検索装置に関する。
　（従来の技術）
　近年、多量に発生する文書などの画像をスキャナ（２次元走査装置）によって読取り、この読取った画像を光ディスクに記憶し、この記憶されている任意の画像を検索して読出し、それを出力装置たとえばＣＲＴデイスプレィ装置あるいは記録装置で目視し得る状態に出力する画像ファイリング装置が実用化されている。
　このような装置では、高速の連続検索（ばらばら捲り）、つまり複数の書類の各頁ごとに順次表示する頁捲り、あるいは複数の書類の最初の頁ごとに順次表示する頁書類捲りが、高速で行われるようになっている。このようなばらばら捲りを行っている状態で、所望の画像が表示された際、オペレータが停止を指示する。この指示に応じて、ばらばら捲りを停止し、現在表示中の画像を表示させる。
　この場合、オペレータが停止を指示した位置で表示を停止するため、オペレータの意思より数頁分、あるいは数書類分進んで停止する。
　したがって、高速検索表示時に、オペレータの意図する位置より数頁分、あるいは数書類分進んで停止しているため、その後、元に戻したりしなければならず、操作性が悪いという欠点があった。
　（発明が解決しようとする課題）
　上記のように、高速検索表示時に、オペレータの意図する位置より数頁分、あるいは数書類分進んで停止しており、操作性が悪いという欠点を除去するもので、高速検索表示時に、オペレータの意図する位置で停止することができ、操作性の良い画像検索装置を提供することを目的とする。
　［発明の構成］
　（課題を解決するための手段）
　この発明の画像検索装置は、複数の画像をこれら画像個々に対応した検索情報とともに記憶手段に記憶し、検索情報の指定により所望の画像を上記記憶手段から検索して表示手段に表示させるものにおいて、上記記憶手段が複数の画像の連続検索を指示する第１の指示手段、この第１の指示手段の指示に応じて、上記記憶手段から複数の画像を順次検索して高速かつ連続的に上記表示手段に表示させる第１の処理手段、この第１の処理手段による上記表示手段による高速かつ連続的な表示の停止を指示する第２の指示手段、およびこの第２の指示手段の指示に応じて、上記第１の処理手段による処理を停止し、かつ上記第２の指示手段の指示がなされた際に上記表示手段に表示されていた画像を上記表示手段に再び表示させるために、上記第１の処理手段の処理の停止後、上記第１の処理手段より上記表示手段に表示された画像を自動的に所定数戻して上記表示手段に表示させる第２の処理手段から構成されている。
　（作用）
　この発明は、頁捲りあるいは書類捲りなどの高速検索表示時に、高速かつ連続的な表示の停止が指示された際に、この指示がなされた際に表示されていた画像を再び表示させるために、現在表示処理している前の画像を表示するようにしたものである。」（１頁右下欄７行〜２頁左下欄１０行）
　(S5.2)「以後、ＣＲＴディスプレィ装置２４で画像が表示されるごとに、ポインタＰＴＲが「＋１」され、順次次の画像を表示する。
　このような頁捲り表示（高速検索表示）を行っている状態において、所望の画像が表示された際、オペレータはファンクションキーＦ２つまり「停止」をキーボード２３あるいはマウス２９で指定する。すると、ＣＰＵ３４は頁捲り表示の停止を判断し、表示処理を停止する。この場合、高速検索表示を行っているため、停止の指示がなされた頁の次の頁が表示された状態（つまりオペレータが意図した画像の次の画像が表示された状態）で表示処理が停止する。この表示処理の停止後、ＣＰＵ３４は、上記停止の指示がなされた際に表示されていた画像を再び表示させるために、現在表示処理している画像の１つ手前の画像に対する表示処理を行う。
　たとえば、ＣＰＵ３４は、ポインタＰＴＲのポイント値「７」に対する画像の表示処理を行っていた場合、ポインタＰＴＲのポイント値「６」に対する画像の表示処理を判断する。　
　　　　　・・・（中略）・・・
　上記したように、頁捲りあるいは書類捲りなどの高速検索表示時に、高速かつ連続的な表示の停止が指示された際に、この指示がなされた際に表示されていた画像を再び表示させるために、現在表示処理している１つ前に処理した画像を表示するようにしたものである。これにより、オペレータが意図したつまり必要とした画像を表示させることができ、しかも操作性を向上させることができる。
　なお、頁捲り、あるいは書類捲りの速度を切換えられるようにしても良い。その速度に合せて、停止時に戻る画像の数を変更できる。たとえば、頁捲り、あるいは書類捲りの速度が速くなっていくごとに、停止の指示から実際に表示処理が停止されるまでの画像の数が増加するため、停止後に戻す画像の数が２つ、３つ、・・・と増えていくようになっている。すなわち、上述したポインタの値をその数に合せて減算すれば良いようになっている。この場合、オペレータにより予めキーボードとＣＲＴデイスプレィ装置を用いて、頁捲り、あるいは書類捲りの速度を選択するモードを設けることにより、実現可能である。
　また、停止時に戻る画像の数をオペレータによって変更できるようにしても良い。この場合、オペレータにより予めキーボードとＣＲＴデイスプレィ装置を用いて、高速検索表示に戻る画像の数を選択するモードを設けることにより、実現可能である。これにより、オペレータによって、停止を指示するタイミングが異なる場合であっても、確実にオペレータが指示した画像を表示させることができる。特に、頁捲りあるいは書類捲りの速度が速い場合に有効である。
　［発明の効果］
　以上詳述したようにこの発明によれば、高速検索表示時に、オペレータの意図する位置で停止することができ、操作性の良い画像検索装置を提供できる。」（６頁左上欄１２行〜７頁左上欄１５行、第５図）
　〈周知例５記載技術について〉
　第５図、上記(S5.2)によれば、オペレータがページめくり検索の「停止」を指定すると、ポイント値「７」に対する画像の表示処理を停止し、ポイント値「７」に対する画像を再度表示することなく、ポイント値「６」に対する画像の表示処理をしている。したがって、オペレータがページめくり検索の「停止」を指示した場合、現在表示しているページを再度表示せず、現在表示しているページから所定枚数戻った手前のページを表示するようにすることが記載されている。
　
【第４】むすび 
　以上のとおりであるから、本願の請求項１に係る発明は、上記刊行物１記載の発明および周知技術に基づいて、当業者が容易に発明をすることができたものであるから、特許法第２９条第２項の規定により特許を受けることができない。 
　それ故、本願の他の請求項について特に検討するまでもなく、本願は拒絶すべきものである。 
　よって、結論のとおり審決する。